(57)【要約】【課題】本発明は、基板実装ケースの筒状ケースへの着脱を従来と比べて著しく容易でかつ短時間でなし得ることを課題とする。【解決手段】固定用端子17とストッパー係止用開口部18が形成された筒状ケース12と、筒状ケース12の内側に着脱自在に挿着され，開口部と係合するストッパー19を有し、光送受信用のコネクターを有する基板実装ケース13と、基板実装ケースにスライド可能に取り付けられたコマ22、及び基板実装ケースに軸支された，コマのスライドを回転運動により行うレバー23を有する着脱機構部15と、基板実装ケースに取り付けられ，光信号から電気信号，電気信号から光信号への変換を行う回路基板14とを具備し、基板実装ケース13を筒状ケース12に完全に挿着したときに基板実装ケース13のストッパー19が筒状ケース12の開口部18に係合されてロックされ、レバー23の回動によりストッパー19と開口部18との係合状態が解かれ基板実装ケース13が筒状ケース12から解放されることを特徴とする。【選択図】    図１
2005084521.tif 000002
【特許請求の範囲】
【請求項１】
光通信ネットワークとして光信号を電気信号へあるいは電気信号を光信号へ変換する際に使用される光通信用モジュールにおいて、
下端部に複数の固定用端子を有し、長手方向に沿う一端側の下面にストッパー係合用開口部が形成された筒状ケースと、
前記筒状ケースの内側に着脱自在に挿着され，下面に前記開口部と係合するストッパーを有するとともに、光ケーブル脱着側に光送受信用のコネクターを有する基板実装ケースと、
前記基板実装ケースにスライド可能に取り付けられた，該基板実装ケースを筒状ケースから解放するためのコマ、及び前記基板実装ケースに軸支された，前記コマのスライドを回転運動により行うレバーを有する着脱機構部と、
前記基板実装ケースに取り付けられ，光信号から電気信号及び電気信号から光信号への変換を行う機能を有する回路基板とを具備し、
前記基板実装ケースを筒状ケースに完全に挿着したときに基板実装ケースのストッパーが筒状ケースの開口部に係合されてロックされ、前記レバーを回動することによりストッパーと開口部との係合状態が解かれて基板実装ケースが筒状ケースから解放されることを特徴とする光通信用モジュール。
【請求項２】
前記着脱機構部は、開口部周辺の筒状ケース部分を押し下げる爪を有するとともに，軸挿着用の貫通孔が形成されたコマと、基板実装ケースの長手方向に沿う一端側で両外側壁に設けたピンに軸支され，該ピンの近くに軸移動用の長穴が形成されたコ字形のレバーと、前記コマの貫通孔及びレバーの長穴に挿着された軸と、この軸の両端部をレバーの外側で係止する止め輪とを有することを特徴とする請求項１記載の光通信用モジュール。
【請求項３】
前記基板実装ケースの長手方向に沿う一端側の両外側壁には前記レバーが軸支される凹みが形成され、更に、前記着脱機構部は、開口部周辺の筒状ケース部分を押し下げる爪を有するとともに，軸挿着用の貫通孔が形成されたコマと、基板実装ケースの凹みに軸支され，該凹みに対応する部分に凹みと嵌合する凸部が形成されるとともに凹みの近くに軸移動用の長穴が形成されたコ字形のレバーと、前記コマの貫通孔及びレバーの長穴に挿着された軸とを有し、この軸の両端部はレバーの外側でリベット加工されていることを特徴とする請求項１記載の光通信用モジュール。
【請求項４】
前記レバーが軸支される前記基板実装ケースにはピンが打ち込まれ、更に、前記着脱機構部は、開口部周辺の筒状ケース部分を押し下げる爪を有するとともに軸挿着用の貫通孔を有したコマと、基板実装ケースの長手方向に沿う一端側の両外側壁には前記ピンが挿着される穴が形成され，該穴の近くに軸移動用の長穴が形成されたコ字形のレバーと、前記コマの貫通孔及びレバーの長穴に挿着された軸とを有し、この軸の両端部はレバーの外側で溶接加工されていることを特徴とする請求項１記載の光通信用モジュール。
【請求項５】
前記コマと軸とは一体成型されていることを特徴とする請求項２乃至４いずれか記載の光通信用モジュール。
【請求項６】
前記着脱機構部は、開口部周辺の筒状ケース部分を押し下げる爪を筒状ケース側に有するとともに軸移動用の円弧穴を有したコマと、基板実装ケースの長手方向に沿う一端側の両外側壁に設けたピンに軸支され，該ピンの近くに軸挿着用の貫通孔が形成されたコ字形のレバーと、前記コマの円弧穴及びレバーの貫通孔に挿着された軸と、この軸の両端部をレバーの外側で係止する止め輪とを有することを特徴とする請求項１記載の光通信用モジュール。
【発明の詳細な説明】
【技術分野】
【０００１】
本発明は、光通信ネットワークとして光の送受／受信を行う際に使用される光通信用モジュールに関する。
【背景技術】
【０００２】
周知の如く、データ通信の高速・大容量化に伴って、各種の通信ネットワークへの光通信技術が導入されている。従来、光通信ネットワークとして光信号を電気信号へあるいは電気信号を光信号へ変換する際には、光の送受／受信を一体化した光通信用モジュールが使用されている。
【０００３】
図１２（Ａ）、（Ｂ）、図１３（Ａ）〜（Ｃ）及び図１４（Ａ）〜（Ｃ）は夫々従来の光通信用モジュールの説明図である。ここで、図１２（Ａ）は同モジュールの筒状ケースから基板実装ケースを引き出す際の斜視図、図１２（Ｂ）は引き出し後の前記基板実装ケースの斜視図を示す。また、図１３（Ａ）は前記基板実装ケースの側面図、図１３（Ｂ）は同ケースの平面図、図１３（Ｃ）は同ケースの正面図を示す。更に、図１４（Ａ）は前記筒状ケースに基板実装ケースを挿着した前記モジュールの側面図、図１４（Ｂ）は同モジュールの平面図、図１４（Ｃ）は同モジュールの正面図を示す。
【０００４】
前記光通信用モジュール１は、筒状ケース２と、この筒状ケース２の内側に挿着される基板実装ケース３と、この基板実装ケース３に取り付けられて，光信号から電気信号及び電気信号から光信号への変換を行う機能を有する回路基板４とを備えている。
【０００５】
前記筒状ケース２の下端部には、図示しない回路基板に筒状ケース２を固定するための固定用端子５が複数個設けられている。前記筒状ケース２の長手方向に沿う基板実装ケース３の脱着側には、該ケース３が挿着された際にロックされる開口部６が形成されている（図１４参照）。
【０００６】
前記基板実装ケース３は前記筒状ケース２の内側に脱着自在に挿着されるもので、図１２に示すとおりである。図１３に示すように、前記筒状ケース２の長手方向に沿う脱着側の下部には、挿着時に前記開口部６と係止するストッパー７が設けられている。また、前記基板実装ケース３の光ケーブル脱着側には、光送受信用のコネクター８ａ，８ｂが設けられ，例えばコネクター８ａが光送信用、コネクター８ｂが光受信用である。前記コネクター８ａ，８ｂには図示しない光ファイバーが接続される。また、前記基板実装ケース３の内部には、前記コネクター８ａ，８ｂと接続する前記回路基板４が配置されている。
【０００７】
従来の光通信用モジュール１において、基板実装ケース３の筒状ケース２への脱着は次のように行う。  
１）基板実装ケース３の筒状ケース２への挿着：  
基板実装ケース３を筒状ケース２の内側にコネクター８ａ，８ｂを外側に向けた状態で、基板実装ケース３に設けたストッパー７が筒状ケース２に設けた開口部６に係止するまで筒状ケース２に挿入する。但し、基板実装ケース３を再度筒状ケース２へ挿着する際には、後述するコマを事前に引き戻す動作を必要とする。
【０００８】
２）基板実装ケース３の筒状ケース２からの取り外し：  
図１６（Ａ）に示すように、基板実装ケース３が筒状ケース２に挿着した状態で、基板実装ケース３と筒状ケース２間に固定解除用のコマ９の爪９ａ，９ｂを矢印Ｘの方向に差し込むことにより行う。この操作により、図１６（Ｂ）に示すように、爪９ａ，９ｂは開口部６が形成されている筒状ケース部分２ａを矢印Ｙの方向に跳ね上げる。次に、この固定解除の状態で基板実装ケース３の端部を手で把持して手前（矢印Ｘと反対方向）に引くことにより、基板実装ケース３が筒状ケース２から外れる。
【０００９】
図１７（Ａ），（Ｂ）はロック解除の様子を模式的に示す。図１７（Ａ）では、基板実装ケース３に設けたストッパー７と筒状ケース２に設けた開口部６が係止した状態にある。この後、コマ９の爪９ａ，９ｂを図１７（Ｂ）の矢印Ｘの方向に進めると、爪９ａ，９ｂが筒状ケース部分２ａを矢印Ｙの方向に押し下げられ、ストッパー７が開口部６から解除される。
【００１０】
なお、従来技術としては、例えば、特許文献１のように、ハウジングに、トランジスター等の電子機器を設けた基台をピボットブロックや取っ手からなる掛金機構を用いて挿着する電気モジュールが知られている。
【特許文献１】ＵＳ6,439,918Ｂ１（第４欄５行目〜第８欄４７行目）
【発明の開示】
【発明が解決しようとする課題】
【００１１】
しかしながら、従来の光通信用モジュールによれば、基板実装ケース３の筒状ケース２からの着脱の際、手間がかかるという問題があった。即ち、基板実装ケース３を筒状ケース２から取り外す際には、基板実装ケース３と筒状ケース２間に固定解除用のコマ９を一旦挿着する作業が必要であるとともに、基板実装ケース３を筒状ケース２に再度挿着する際には、挿着したコマ９を引き戻す作業が必要であり、その都度、基板実装ケース３の端部を持ち替える必要がある。
【００１２】
本発明はこうした事情を考慮してなされたもので、基板実装ケースにスライド可能に取り付けられた，該基板実装ケースを筒状ケースから解放するためのコマ、及び前記基板実装ケースに軸支され，前記コマのスライドを回転運動により行うレバーを有する着脱機構部を備えた構成にすることにより、基板実装ケースの筒状ケースへの着脱を従来と比べて著しく容易でかつ短時間でなし得る作業性に優れた光通信用モジュールを提供することを目的とする。
【課題を解決するための手段】
【００１３】
本発明に係る光通信用モジュールは、光通信ネットワークとして光信号を電気信号へあるいは電気信号を光信号へ変換する際に使用される光通信用モジュールにおいて、下端部に複数の固定用端子を有し、長手方向に沿う一端側の下面にストッパー係合用開口部が形成された筒状ケースと、前記筒状ケースの内側に着脱自在に挿着され，下面に前記開口部と係合するストッパーを有するとともに、光ケーブル脱着側に光送受信用のコネクターを有する基板実装ケースと、前記基板実装ケースにスライド可能に取り付けられた，該基板実装ケースを筒状ケースから解放するためのコマ、及び前記基板実装ケースに軸支された，前記コマのスライドを回転運動により行うレバーを有する着脱機構部と、前記基板実装ケースに取り付けられ，光信号から電気信号及び電気信号から光信号への変換を行う機能を有する回路基板とを具備し、前記基板実装ケースを筒状ケースに完全に挿着したときに基板実装ケースのストッパーが筒状ケースの開口部に係合されてロックされ、前記レバーを回動することによりストッパーと開口部との係合状態が解かれて基板実装ケースが筒状ケースから解放されることを特徴とする。
【００１４】
本発明において、前記着脱機構部としては、下記の例が挙げられる。  
１）図１及び図２に示すように、開口部周辺の筒状ケース部分を押し下げる爪を有するとともに，軸挿着用の貫通孔が形成されたコマと、基板実装ケースの長手方向に沿う一端側で両外側壁に設けたピンに軸支され，該ピンの近くに軸移動用の長穴が形成されたコ字形のレバーと、前記コマの貫通孔及びレバーの長穴に挿着された軸と、この軸の両端部をレバーの外側で係止する止め輪とを有する着脱機構部。
【００１５】
２）図７に示すように、基板実装ケースの長手方向に沿う一端側の両外側壁にレバーが軸支される凹みが形成され、しかも、開口部周辺の筒状ケース部分を押し下げる爪を有するとともに，軸挿着用の貫通孔が形成されたコマと、基板実装ケースの凹みに軸支され，該凹みに対応する部分に凹みと嵌合する凸部が形成されるとともに凹みの近くに軸移動用の長穴が形成されたコ字形のレバーと、前記コマの貫通孔及びレバーの長穴に挿着された軸とを有し、この軸の両端部はレバーの外側でリベット加工されている着脱機構部。
【００１６】
３）図８に示すように、レバーが軸支される基板実装ケースにはピンが打ち込まれ、しかも、開口部周辺の筒状ケース部分を押し下げる爪を有するとともに軸挿着用の貫通孔を有したコマと、基板実装ケースの長手方向に沿う一端側の両外側壁には前記ピンが挿着される穴が形成され，該穴の近くに軸移動用の長穴が形成されたコ字形のレバーと、前記コマの貫通孔及びレバーの長穴に挿着された軸とを有し、この軸の両端部はレバーの外側で溶接加工されている着脱機構部。
【００１７】
４）図９に示すように、開口部周辺の筒状ケース部分を押し下げる爪を筒状ケース側に有するとともに軸移動用の円弧穴を有したコマと、基板実装ケースの長手方向に沿う一端側の両外側壁に設けたピンに軸支され，該ピンの近くに軸挿着用の貫通孔が形成されたコ字形のレバーと、前記コマの円弧穴及びレバーの貫通孔に挿着された軸と、この軸の両端部をレバーの外側で係止する止め輪とを有する着脱機構部。
【００１８】
なお、上記１）〜４）において、前記コマと軸とは一体成型されていてもよい。また、この場合、軸は樹脂製でも金属製でもよい。
【発明の効果】
【００１９】
本発明によれば、基板実装ケースにスライド可能に取り付けられた，該基板実装ケースを筒状ケースから解放するためのコマ、及び前記基板実装ケースに軸支され，前記コマのスライドを回転運動により行うレバーを有する着脱機構部を備えた構成にすることにより、基板実装ケースの筒状ケースへの着脱を従来と比べて著しく容易でかつ短時間でなし得る作業性に優れた光通信用モジュールを提供できる。
【発明を実施するための最良の形態】
【００２０】
以下、本発明の一実施例に係る光通信用モジュールについて図１〜図４を参照して説明する。ここで、図１は同モジュールの基板実装ケースと筒状ケースとの挿着状態を示す斜視図、図２は前記基板実装ケースの各部品の説明図で、図２（Ａ）は各部品の展開図、図２（Ｂ）は着脱機構部の一構成であるコマの側面図を示す。また、図３は基板実装ケースの説明図で、図３（Ａ）は同ケースの側面図、図３（Ｂ）は同ケースの正面図、図３（Ｃ）は同ケースの裏面図を示す。更に、図４は前記モジュールの説明図で、図４（Ａ）は同モジュールの側面図、図４（Ｂ）は同モジュールの裏面図を示す。
【００２１】
本発明に係る光通信用モジュール１１は、図1〜図４に示すように、筒状ケース１２と、この筒状ケース１２の内側に挿着される基板実装ケース１３と、この基板実装ケース１３に取り付けられて，光信号から電気信号及び電気信号から光信号への変換を行う機能を有する回路基板１４（図３、図４参照）と、基板実装ケース１３の筒状ケース１２への着脱を行う機能を有する着脱機構部１５とを備えている。
【００２２】
前記筒状ケース１２の下端部には、図１０に示すように、上記回路基板１４とは異なる回路基板１６に筒状ケース１２を固定するための固定用端子１７が複数個設けられている。前記筒状ケース１２の長手方向に沿う基板実装ケース１３の脱着側には、該ケース１３が挿着された際に後述するストッパーによりロックされる開口部１８が形成されている（図１参照）。
【００２３】
前記基板実装ケース１３の長手方向に沿うケース挿入側の下部には、該ケース１３を筒状ケース１２に挿着した際、前記開口部１８と係合する突起状のストッパー１９が設けられている（図３,図４参照）。また、前記基板実装ケース１３の長手方向に沿うケース挿入側の両側壁で後述するレバーの支点に対応する箇所には、レバーの支点となるピン２０が夫々設けられている（図２〜図４参照）。更に、前記基板実装ケース１３の内側には、光ケーブル脱着側（外側）に光送受信用のコネクター２１ａ，２１ｂが設けられている。ここで、コネクター２１ａは光送信用、コネクター２１ｂは光受信用である。前記コネクター２１ａ，２１ｂには図示しない光ファイバーが接続される。
【００２４】
前記着脱機構部１５は、図２（Ａ）に示すように、基板実装ケース１３の下面にスライド可能に取り付けられたコマ２２と、前記ピン２０に軸支されたコ字形のレバー２３と、前記コマ２２の貫通孔等に挿着される軸２４と、この軸２４を止める止め輪２５とを備えている。前記コマ２２は、先端（筒状ケース側）に筒状ケース１２の開口部周辺を押し下げる爪２２ａ，２２ｂを有するとともに、その反対側に軸挿着用の貫通孔２６が形成されている（図２（Ｂ）参照）。前記レバー２３の付け根部分には、前記ピン２０が挿着される丸穴２７、及び前記軸２４が挿着され，しかも該軸２４が可動しうる長穴２８が夫々並んで形成されている。前記軸２４は前記コマ２２の貫通孔２６及びレバー２３の長穴２８に挿着されて、その両端はレバー２３の外側に突出している。ここで、突出した軸２４の両端部には止め輪２５が係止されている。
【００２５】
次に、上記光通信用モジュール１１において、基板実装ケース１３の筒状ケース１２への着脱は、図５及び図６のように行う。ここで、図５（Ａ）〜（Ｄ）は基板実装ケースの筒状ケースへの脱着の手順を示す斜視図、図６（Ａ），（Ｂ）は前記モジュールにおけるレバーの回動状態を説明するための側面図を示す。
【００２６】
図５（Ａ），図６（Ａ）は、夫々基板実装ケース１３を筒状ケース１２に完全に挿着した状態を示す。この状態では、基板実装ケース１３のストッパー１９は筒状ケース１２の開口部１８に係合してロックされた状態にある。この際、レバー２３の上部は、図５（Ａ）に示すように基板実装ケース１３の上面に位置している。
【００２７】
図５（Ａ）の状態から図５（Ｂ），図６（Ｂ）の矢印Ｘのようにレバー２３を約９０°回動することにより、前記コマ２２の爪２２ａ，２２ｂが筒状ケース１２の開口部付近を押し下げると同時に、ストッパー１９が開口部１８から外れ、ロック解除される。この際、コマ２２に連結された軸２４は、レバー２３の長穴２８内で矢印Ｙ１のように移動する。
【００２８】
この後、基板実装ケース１３を図５（Ｃ）の矢印Ｙ２の方向に移動して、基板実装ケース１３を筒状ケース１２から抜き取る。また、基板実装ケース１３を筒状ケース１２に挿着するときは、レバー２３を図５（Ｄ）の矢印Ｘ’のように回動し、レバー２３を基板実装ケース１３の上面に位置させる。そして、この状態で基板実装ケース１３を筒状ケース１２の内側に最後まで押し込む。これにより、ストッパー１９が開口部１８に係合されてロックされる。この際、コマ２２に連結された軸２４は、レバー２３の長穴２８内で矢印Ｙ２のように移動する。
【００２９】
上述したように、上記実施例に係る光通信用モジュールは、下端部に複数の固定用端子１７を有し、長手方向に沿う一端側の下端面にストッパー係合用開口部１８が形成された筒状ケース１２と、前記筒状ケース１２の内側に着脱自在に挿着され，下部外側に前記開口部１８と係止するストッパー１９を有するとともに、光ケーブル脱着側に光送受信用のコネクター２１ａ，２１ｂを有する基板実装ケース１３と、この基板実装ケース１３に取り付けられ，光信号から電気信号及び電気信号から光信号への変換を行う機能を有する回路基板１４と、前記基板実装ケース１３にスライド可能に取り付けられた，該基板実装ケース１３を筒状ケース１２から解放するためのコマ２２、及び前記基板実装ケース１３に軸支された，前記コマ２２のスライドを回転運動により行うレバー２３を有する着脱機構部１５とを具備し、基板実装ケース１３を筒状ケース１２に完全に挿着したときに基板実装ケース１３のストッパー１９が筒状ケース１２の開口部１８に係合されてロックされ、レバー２３を回動することによりストッパー１９と開口部１８との係合状態が解かれて基板実装ケース１３が筒状ケース１２から解放されることを特徴とする。
【００３０】
こうした光通信用モジュールによれば、以下に述べる効果を有する。  
１）図５（Ａ）の状態から図５（Ｂ）の矢印Ｘのようにレバー２３を約９０°回動することにより、前記コマ２２の爪２２ａ，２２ｂが筒状ケース１２の開口部付近を押し下げると同時に、ストッパー１９が開口部１８から外れ、ロック解除される。また、レバー２３を基板実装ケース１３の上面に位置させた状態で、基板実装ケース１３を筒状ケース１２の内側に最後まで押し込むことにより、ストッパー１９が開口部１８に係合されてロックされる。このように、レバー２３を回動した後レバー２３を引いたり、あるいはレバー２３を上げた状態で基板実装ケース１３を筒状ケース１２の内側に押し込むのみで基板実装ケース１３の筒状ケース１２への脱着を行うことができ、従来のように基板実装ケースの筒状ケースへの脱着に際して固定解除用のコマを挿着したり、引き戻す作業がない。従って、従来の光通信用モジュールに比べて、作業性を著しく改善することができる。
【００３１】
また、基板実装ケース１３を筒状ケース１２に挿着した状態は、例えば図１１に示すようにレバー２３が基板実装ケース１３の上面に位置した状態にあるため、箱状の筐体３０セット後の光通信用モジュール１１の外観を良好に保持することができる。
【００３２】
なお、本発明に係る光通信用モジュールに係る着脱機構部は、上記実施例で述べたものに限らず、例えば以下に述べる１）〜３）の形態でもよい。
【００３３】
１）図７（Ａ），（Ｂ）の着脱機構部：  
ここで、図７（Ａ）は着脱機構部３１の各部品の展開図、図７（Ｂ）は着脱機構部３１が基板実装ケース１３に挿着された状態の概略的な斜視図を示す。但し、上記図２と同部材は同符番を付して説明を省略する。この着脱機構部３１では、基板実装ケース１３の支点に対応する部分に凹部３２が形成されている。また、レバー２３の内側で支点対応部分には、前記凹部３２に対応する突起３３が設けられ、この突起３３が凹部３２に挿入される。更に、レバー２３から突出する軸２４の両端部３４はリベット加工されている。
【００３４】
２）図８（Ａ），（Ｂ）の着脱機構部：  
ここで、図８（Ａ）は着脱機構部３１の各部品の展開図、図８（Ｂ）は着脱機構部３１が基板実装ケース１３に挿着された状態の概略的な斜視図を示す。但し、上記図２、図７と同部材は同符番を付して説明を省略する。この着脱機構部３１では、基板実装ケース１３の支点に対応する部分に凹部３２が形成され、この凹部にピン３５が打ち込まれている。また、コマ２２と樹脂製の軸３６とが一体的に成型されている。更に、レバー２３から突出する軸３６の両端部３７は溶接加工されている。なお、図８において、軸３６は樹脂製ではなく金属製でもよい。
【００３５】
３）図９（Ａ），（Ｂ），（Ｃ）の着脱機構部：  
ここで、図９（Ａ）は着脱機構部３１の各部品の展開図、図９（Ｂ）は着脱機構部３１が基板実装ケース１３に挿着された状態の概略的な斜視図、図９（Ｃ）はコマの側面図を示す。但し、上記図２、図７、図８と同部材は同符番を付して説明する。この着脱機構部３１では、軸２４が挿着されるコマ２２に軸２４が可動するような円弧穴３８が形成されている。また、レバー２３から突出する軸２４の両端部３４はリベット加工されている。
【００３６】
なお、この発明は、上記実施形態そのままに限定されるものではなく、実施段階ではその要旨を逸脱しない範囲で構成要素を変形して具現化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００３７】
【図１】本発明の一実施例に係る光通信用モジュールを構成する筒状ケースと基板実装ケースの説明図。
【図２】図１のモジュールを構成する基板実装ケースの展開図。
【図３】図１のモジュールを構成する基板実装ケースの説明図。
【図４】図１のモジュールの説明図。
【図５】図１のモジュールにおける基板実装ケースの筒状ケースへの脱着の説明図。
【図６】図１のモジュールにおけるレバーの回動状態を説明するための側面図。
【図７】図１のモジュールを構成する基板実装ケースに対する着脱機構部の変形例を説明するための図。
【図８】図１のモジュールを構成する基板実装ケースに対する着脱機構部の変形例を説明するための図。
【図９】図１のモジュールを構成する基板実装ケースに対する着脱機構部の変形例を説明するための図。
【図１０】図１のモジュールを回路基板に実装した場合の説明図。
【図１１】図１のモジュールの使用例の説明図。
【図１２】従来の光通信用モジュールにおいて、基板実装ケースを筒状ケースからロック解除する場合の説明図。
【図１３】図１２の光通信用モジュールを構成する基板実装ケースの説明図。
【図１４】図１２の光通信用モジュールの説明図。
【図１５】図１２の光受信用モジュールの基板実装ケースにコマを挿着する場合の説明図。
【図１６】図１２の光受信用モジュールにコマを挿着して基板実装ケースを筒状ケースからロック解除する場合の説明図。
【図１７】図１２の光受信用モジュールにおいて、基板実装ケースの筒状ケースに対する脱着ときのコマと筒状ケースとの関係を要部を拡大して示す図。
【符号の説明】
【００３８】
１１…光通信用モジュール、                      １２…筒状ケース、  
１３…基板実装ケース、  １４，１６…回路基板、  １５、３１…着脱機構部、  
１７…固定用端子、      １８…開口部、          １９…ストッパー、  
２０，３５…ピン、      ２１ａ，２１ｂ…コネクター  ２２…コマ、  
２２ａ，２２ｂ…爪、    ２３…レバー、            ２４，３６…軸、
２５…止め輪、          ２８…長穴。
【図１】
2005084521.tif 000003
【図２】
2005084521.tif 000004
【図３】
2005084521.tif 000005
【図４】
2005084521.tif 000006
【図５】
2005084521.tif 000007
【図６】
2005084521.tif 000008
【図７】
2005084521.tif 000009
【図８】
2005084521.tif 000010
【図９】
2005084521.tif 000011
【図１０】
2005084521.tif 000012
【図１１】
2005084521.tif 000013
【図１２】
2005084521.tif 000014
【図１３】
2005084521.tif 000015
【図１４】
2005084521.tif 000016
【図１５】
2005084521.tif 000017
【図１６】
2005084521.tif 000018
【図１７】
2005084521.tif 000019